(57)【要約】      （修正有）【課題】高いセキュリティ性を容易に達成できる情報記録媒体の真贋判定システム等を提供する。【解決手段】情報記録媒体１は、基材上に、画像情報、赤外線発光層、赤外線透過・可視光反射／吸収層を順に形成したものである。真贋判定システム１０では、読取装置５０により、情報記録媒体１に励起光を照射し、赤外線発光層が発光した赤外線を受光して撮像を行う。また、分光分布測定装置５５により、赤外線発光層が発光した赤外線の分光分布を測定しピーク波長を検出する。情報処理装置５８は、情報記録媒体１を撮像した画像から赤外線発光層の形状を抽出し、赤外線発光層の形状と上記の分光分布のピーク波長を、情報記録媒体１についてデータベース５９に予め記録した赤外線発光層の形状、分光分布のピーク波長と比較することで、情報記録媒体１の真贋を判定する。【選択図】図２
2014127146.tif 000002
【特許請求の範囲】
【請求項１】
赤外線を吸収する材料にて基材上に形成された画像情報と、
前記画像情報の上または下に形成された、赤外線による励起光で励起され励起光とはピーク波長が異なる赤外線を発光する赤外線発光層と、
を備えた情報記録媒体の真贋判定を行う真贋判定システムであって、
前記情報記録媒体に対して励起光を照射し、前記赤外線発光層から発光した赤外線を受光することで前記情報記録媒体の撮像を行う読取装置と、
前記情報記録媒体を撮像した画像から、前記赤外線発光層の形状を抽出し、予め前記情報記録媒体について記録した前記赤外線発光層の形状と比較し、前記情報記録媒体の真贋を判定する情報処理装置と、
を具備することを特徴とする真贋判定システム。
【請求項２】
前記赤外線発光層から発光した赤外線の分光分布を測定する分光分布測定装置を更に具備し、
前記情報処理装置は、さらに、前記分光分布の特徴量を、予め前記情報記録媒体について記録した前記特徴量と比較することを特徴とする請求項１記載の真贋判定システム。
【請求項３】
前記特徴量は、ピーク波長であることを特徴とする請求項２記載の真贋判定システム。
【請求項４】
前記情報記録媒体の前記画像情報の上に、赤外線を透過し可視光を反射もしくは吸収する層が設けられることを特徴とする請求項１から請求項３のいずれかに記載の真贋判定システム。
【請求項５】
赤外線を吸収する材料にて基材上に形成された画像情報と、
前記画像情報の上または下に形成された、赤外線による励起光で励起され励起光とはピーク波長が異なる赤外線を発光する赤外線発光層と、
を備えた情報記録媒体の真贋判定を行う真贋判定方法であって、
前記情報記録媒体に対して励起光を照射し、前記赤外線発光層から発光した赤外線を受光することで前記情報記録媒体の撮像を行う工程と、
前記情報記録媒体を撮像した画像から、前記赤外線発光層の形状を抽出し、予め前記情報記録媒体について記録した前記赤外線発光層の形状と比較し、前記情報記録媒体の真贋を判定する工程と、
を具備することを特徴とする真贋判定方法。
【発明の詳細な説明】
【技術分野】
【０００１】
本発明は、赤外線発光層を用いた情報記録媒体の真贋判定システムおよび真贋判定方法に関する。
【背景技術】
【０００２】
くじやチケットなど一般的な印刷物では、文字やバーコード等の画像情報が誰もが視認できるように形成される。従って、他者に知られて偽造や改ざんをされる可能性がある。そこで、画像情報を不可視化し、所定の読取装置で読取ることによって、偽造等を防止する技術が提案されている。
【０００３】
この例として、紫外線で励起して可視光を発光するインキを用いて肉眼では見えない画像情報を形成し、これを紫外線で励起させ可視光受光センサを用いて読取る方法が多く用いられている。ただし、この方法は広く認知されており、インキ材料の入手も容易であるため、偽造等を防止する効果が低いという問題がある。
【０００４】
そこで、赤外線を吸収する材料で形成した画像情報と、赤外線で励起され赤外線を発光する赤外線発光層とを、基材に塗布して積層する技術が知られている。
【０００５】
例えば、特許文献１には、基材上に赤外線発光層を形成し、その上に赤外線吸収材料による画像情報を形成し、さらに、その上に可視光の一部を吸収する隠蔽層を形成した媒体について、読取装置により画像情報を読取る方法が記載されている。
また、特許文献２には、基材上に赤外線吸収材料による画像情報を形成し、その上に赤外線発光層を形成してこれにより画像情報を隠蔽した媒体について、画像情報を読取装置で読取る方法が記載されている。
【先行技術文献】
【特許文献】
【０００６】
【特許文献１】登録実用新案第３０１３３２８号公報
【特許文献２】特開２００１−９６８８９号公報
【発明の概要】
【発明が解決しようとする課題】
【０００７】
上記の方法を用いることで、画像情報を目視できないように隠蔽した場合でも赤外線読取装置により読取ることが可能になり、またインキ材料等も比較的入手は困難である。しかしながら、このような場合でも、やはり偽造や改ざんの恐れは否定できず、そのセキュリティ性を高めることが望まれる。
【０００８】
本発明は、前述した問題点に鑑みてなされたもので、高いセキュリティ性を容易に実現できる情報記録媒体の真贋判定システム等を提供することを目的とする。
【課題を解決するための手段】
【０００９】
前述した目的を達するための第１の発明は、赤外線を吸収する材料にて基材上に形成された画像情報と、前記画像情報の上または下に形成された、赤外線による励起光で励起され励起光とはピーク波長が異なる赤外線を発光する赤外線発光層と、を備えた情報記録媒体の真贋判定を行う真贋判定システムであって、前記情報記録媒体に対して励起光を照射し、前記赤外線発光層から発光した赤外線を受光することで前記情報記録媒体の撮像を行う読取装置と、前記情報記録媒体を撮像した画像から、前記赤外線発光層の形状を抽出し、予め前記情報記録媒体について記録した前記赤外線発光層の形状と比較し、前記情報記録媒体の真贋を判定する情報処理装置と、を具備することを特徴とする真贋判定システムである。
【００１０】
赤外線発光層の形状は、赤外線発光層の形成時の種々の条件により異なる。従って、偽の情報記録媒体を製造する際に赤外線発光層の形状まで再現することは難しく、情報記録媒体の真贋判定時に赤外線発光層の形状を用いることで精度の高い真贋判定を行うことができ、高いセキュリティ性を実現できる。また、赤外線を吸収する画像情報は、赤外線を発光する赤外線発光層とのコントラストから読取ることが可能で、画像情報を隠蔽した状態でも容易に読取ることができる。さらに、励起に用いる赤外線と赤外線発光層が発光する赤外線のピーク波長は異なるので、励起光をカットすることで精度良く読取を行える利点もある。
【００１１】
前記赤外線発光層から発光した赤外線の分光分布を測定する分光分布測定装置を更に具備し、前記情報処理装置は、さらに、前記分光分布の特徴量を、予め前記情報記録媒体について記録した前記特徴量と比較することが望ましい。
これにより、偽の情報記録媒体の赤外線発光層として真の情報記録媒体と異なる蛍光体を用いた場合に、分光分布の特徴量の違いによりこれを偽とできる。従って、真贋判定をさらに精度良く行うことができ、セキュリティ性がより高まる。
【００１２】
前記特徴量は、ピーク波長であることが望ましい。
赤外線の分光分布の特徴量としてピーク波長を用いることで、真贋判定が容易に行える。
【００１３】
前記情報記録媒体の前記画像情報の上に、赤外線を透過し可視光を反射もしくは吸収する層が設けられることが望ましい。
本実施形態では赤外線により読取を行うので、前記の通り、画像情報を隠蔽した状態でも容易に真贋判定が行える。
【００１４】
第２の発明は、赤外線を吸収する材料にて基材上に形成された画像情報と、前記画像情報の上または下に形成された、赤外線による励起光で励起され励起光とはピーク波長が異なる赤外線を発光する赤外線発光層と、を備えた情報記録媒体の真贋判定を行う真贋判定方法であって、前記情報記録媒体に対して励起光を照射し、前記赤外線発光層から発光した赤外線を受光することで前記情報記録媒体の撮像を行う工程と、前記情報記録媒体を撮像した画像から、前記赤外線発光層の形状を抽出し、予め前記情報記録媒体について記録した前記赤外線発光層の形状と比較し、前記情報記録媒体の真贋を判定する工程と、を具備することを特徴とする真贋判定方法である。
【発明の効果】
【００１５】
本発明により、高いセキュリティ性を容易に実現できる情報記録媒体の真贋判定システム等を提供することができる。
【図面の簡単な説明】
【００１６】
【図１】情報記録媒体１について示す図
【図２】真贋判定システム１０について示す図
【図３】情報処理装置５８のハードウェア構成を示す図
【図４】真贋判定情報１１１を示す図
【図５】情報記録媒体１の真贋判定の手順を示すフローチャート
【図６】情報記録媒体１の画像を示す図
【図７】情報記録媒体１ａを示す図
【図８】情報記録媒体１ｂを示す図
【図９】実施例について説明する図
【図１０】赤外線の分光分布を示す図
【発明を実施するための形態】
【００１７】
以下、本発明の実施形態を図面を参照しながら詳細に説明する。
【００１８】
［第１の実施形態］
（１．情報記録媒体１の構成）
まず、図１を参照して、本発明の第１の実施形態に係る真贋判定システムの判定対象となる情報記録媒体１について説明する。
【００１９】
図１に示すように、情報記録媒体１では、基材１１の上に画像情報１３が形成される。また、画像情報１３の上に赤外線発光層１５が設けられる。さらに、赤外線発光層１５の上に赤外線透過・可視光反射／吸収層１７が重ねて設けられる。なお、赤外線透過・可視光反射／吸収層１７の語において「・」は「かつ」の意であり、「／」は「もしくは」の意である。すなわち、赤外線透過・可視光反射／吸収層１７は、「赤外線を透過し、かつ、可視光を反射もしくは吸収する層」である。
【００２０】
基材１１は、例えば印刷用の各種の用紙であるが、赤外線を反射するものであれば特にその材質等は問わない。
【００２１】
画像情報１３は、カーボンブラック等の赤外線を吸収する材料を含むインキによる印刷で形成する。例えば、一般に用いられているカーボンを含んだ黒色のインキによる印刷を行えばよい。その他、カーボン等を含み赤外線を吸収する材料であれば、これを使用して画像情報１３を形成することができる。あるいは、樹脂等の基材１１上にレーザーを照射することにより、赤外線を吸収するようなパターンを画像情報１３として形成することも可能である。
【００２２】
この画像情報１３は、例えば、バーコードや二次元コード、ＯＣＲ用数字、数字、文字、絵柄、記号等であるが、これらに限ることはない。
【００２３】
赤外線発光層１５は、赤外線を励起光として照射することにより励起され、励起光とは異なるピーク波長の赤外線を発光する蛍光体を分散して含む蛍光材料を、ベタ印刷することにより形成される。なお、ピーク波長は光の強度が最も大きい波長を指すものとする。本実施形態では、この蛍光体として、ピーク波長約８１０ｎｍの励起光が照射された時に、ピーク波長約１０００ｎｍの赤外線を発光するものを用いるが、これに限ることはない。また、赤外線発光層１５に用いる材料は、燐光材料でもよい。
【００２４】
さらに、赤外線発光層１５に用いる蛍光材料等は顔料であっても染料であってもよいし、有機材料、無機材料のどちらも使用可能である。加えて、赤外線発光層１５として、蛍光色素や量子ドット材料等を用いることも可能である。いずれにせよ、赤外線発光層１５が、赤外線を励起光として照射することにより励起され、励起光とは異なるピーク波長の赤外線を発光するようにすればよい。
【００２５】
このように、赤外線発光層１５に適用可能な材料には様々なものがあるが、このうち特に無機の蛍光顔料は、耐候性および発光効率の点から適している。このような無機の蛍光顔料としては、３価のネオジム（Ｎｄ３＋）、３価のイッテルビウム（Ｙｂ３＋）及び３価のエルビウム（Ｅｒ３＋）を含有したものが知られており、たとえば、Ｎａ５（Ｙｂ，Ｎｄ）（ＭｏＯ４）４、（Ｙ，Ｌａ，Ｌｕ）ＰＯ４：Ｙｂ，Ｎｄ、（Ｌｕ，Ｙｂ，Ｎｄ）２Ｏ２Ｓなどがあげられる。
【００２６】
赤外線発光層１５のベタ印刷は、オフセット印刷、グラビア印刷、フレキソ印刷、スクリーン印刷、パッド印刷等で行ってもよいし、転写シート、ラベル等を用いて赤外線発光層１５を形成するようにしてもよい。また、上記の蛍光材料をスプレーで塗布することにより赤外線発光層１５を形成することもできる。
【００２７】
赤外線発光層１５の形状は、赤外線発光層１５を形成する際の種々の条件によって異なる。例えばスプレーでの塗布を行う場合、蛍光材料の霧化圧力や塗布対象との距離、吐出時間などの細かな値の違いで赤外線発光層１５の形状は変化する。
【００２８】
赤外線透過・可視光反射／吸収層１７は、赤外線を透過し、可視光を反射もしくは吸収する層であり、これにより画像情報１３は肉眼で不可視となる。赤外線透過・可視光反射／吸収層１７は、赤外線を透過し可視光を反射もしくは吸収する材料を含んでいればよく、種々の材料を使用することができる。例えば、シアン、マゼンタ、イエローの顔料を含む黒色の層や、マゼンタ、イエローの顔料を含む橙色の層、シアン、イエローの顔料を含む緑色の層とすることができる。この赤外線透過・可視光反射／吸収層１７は、印刷により形成することができる。
【００２９】
（２．真贋判定システム１０の構成）
次に、真贋判定システム１０の構成について図２を参照して説明する。
【００３０】
図２に示すように、真贋判定システム１０は、読取装置５０、分光分布測定装置５５、情報処理装置５８、データベース５９等により構成される。
【００３１】
読取装置５０は、赤外線照射部５１、赤外線撮像部５３等を有する。
【００３２】
赤外線照射部５１は、例えば発光ダイオード等であり、赤外線を励起光として情報記録媒体１に照射する。本実施形態では、赤外線照射部５１により、ピーク波長約８１０ｎｍの励起光を情報記録媒体１に照射する。
【００３３】
赤外線撮像部５３は、情報記録媒体１の赤外線発光層１５が発光する赤外線を複数の受光素子で受光して撮像を行い、各受光素子で受光した光の強度を画像上の輝度値である画素値に変換する。赤外線撮像部５３としては、赤外線領域に感度を有するカメラを用いることができる。また、赤外線撮像部５３には、９００ｎｍ以上の波長の赤外線を透過するフィルタ５４を取付ける。このフィルタ５４は、上記した励起光のピーク波長をカットするものになっている。
【００３４】
分光分布測定装置５５は、情報記録媒体１の赤外線発光層１５が発光する赤外線の分光分布を測定し、ピーク波長を検出するものであり、例えば赤外線照射部５６と、受光部５７を有する分光光度計を用いることができる。
【００３５】
赤外線照射部５６は、赤外線を励起光として情報記録媒体１に照射するものであり、前記の赤外線照射部５１と同様である。
受光部５７は、情報記録媒体１の赤外線発光層１５が発光する赤外線を、回折格子（不図示）等を用いて波長ごとに分解し、それぞれ受光素子で受光する。そして、波長ごとに受光した光の強度を基に、ピーク波長を検出する。
【００３６】
情報処理装置５８は、図３に示すように、制御部１０１、記憶部１０２、入力部１０３、表示部１０４、および通信部１０５等がバス１０６で接続された一般的なコンピュータ等で実現できる。
【００３７】
制御部１０１は、ＣＰＵ、ＲＯＭ、ＲＡＭ等で構成される。ＣＰＵは、ＲＯＭ、記憶部１０２等に格納されるプログラムをＲＡＭ上のワークメモリ領域に呼び出して実行し、バス１０６を介して接続された各部を駆動制御し、コンピュータが行う処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１０２、ＲＯＭ、記憶媒体等からロードしたプログラム、データ等を一時的に保持するとともに、制御部１０１が各種処理を行うために使用するワークエリアを備える。
【００３８】
記憶部１０２は、ハードディスクドライブ等であり、制御部１０１が実行するプログラム、プログラム実行に必要なデータ、ＯＳ等が格納される。プログラムに関しては、ＯＳに相当する制御プログラムや、後述する処理を実行するためのプログラム等が格納されている。これらのプログラムは、制御部１０１により必要に応じて読出されてＲＡＭに移され、ＣＰＵにより実行される。
【００３９】
入力部１０３は、データの入力を行い、例えば、キーボード、マウス等のポインティングデバイス、テンキー等の入力装置を有する。
表示部１０４は、ＣＲＴモニタ、液晶パネル等のディスプレイ装置、およびディスプレイ装置と連携して表示機能を実現するための論理回路等を有する。
通信部１０５は、通信制御装置、通信ポート等を有し、ネットワークを介した通信を媒介する通信インタフェースであり、他の装置との通信制御を行う。
バス１０６は、各部間の制御信号、データ信号等の授受を媒介する経路である。
【００４０】
また、図２に示すように情報処理装置５８はデータベース５９を備えている。このデータベース５９には、後述する情報記録媒体１の真贋判定で用いるための真贋判定情報１１１が予め記録される。
【００４１】
図４は、この真贋判定情報１１１を示す図である。本実施形態では、真贋判定情報１１１として、画像情報１３に対応付けて、赤外線発光層形状データ１１３と分光分布ピーク波長１１４が格納される。
【００４２】
赤外線発光層形状データ１１３は、赤外線発光層１５の形状を示すデータである。
分光分布ピーク波長１１４は、赤外線発光層１５が発光する赤外線の分光分布の特徴量として、ピーク波長を記録したデータである。
【００４３】
これらのデータは、真贋判定時と同じ条件で情報記録媒体１の読取等を行って予め得たものであり、例えば情報記録媒体１の製造時に各データを得て、情報記録媒体１ごとに記録しておく。
【００４４】
（３．真贋判定の手順）
図５は、真贋判定システム１０による情報記録媒体１の真贋判定の手順を説明するためのフローチャートである。図５のＳ１〜Ｓ４は、情報処理装置５８の制御部１０１により実行される処理である。
【００４５】
前記したように、読取装置５０（図２参照）では、情報記録媒体１に励起光を照射し、赤外線発光層１５が発光する赤外線を受光して撮像を行う。情報処理装置５８の制御部１０１は、情報記録媒体１を撮像した画像を読取装置５０から取得する（Ｓ１）。
【００４６】
図６は、この画像４０の例を示す図である。
本実施形態では、読取装置５０の赤外線照射部５１にてピーク波長約８１０ｎｍの赤外線を情報記録媒体１に照射する。この赤外線は、情報記録媒体１の赤外線透過・可視光反射／吸収層１７（図１参照）を透過して画像情報１３の上方にある赤外線発光層１５に到達し、赤外線発光層１５の蛍光体を励起させる。励起された蛍光体は、ピーク波長約１０００ｎｍの赤外線を発光し、この赤外線が、上方にある赤外線透過・可視光反射／吸収層１７、およびフィルタ５４を透過して赤外線撮像部５３で受光され、撮像が行われる。この時、画像４０において赤外線発光層１５は高輝度の部分として表れ、赤外線発光層１５の下にある画像情報１３は、周囲の赤外線発光層１５の部分に対して低輝度の部分として現れる。
【００４７】
画像情報１３の上に赤外線発光層１５が形成されているにも関わらず、画像情報１３が低輝度の部分となるのは、赤外線発光層１５に分散して含まれる蛍光体の量が、層全体の半分弱程度であり、蛍光体以外の部分で下方の画像情報１３等が画像４０に現れ、この際、蛍光体から発光した赤外線が基材１１上で反射される画像情報１３の周囲の部分に対し、赤外線が吸収される画像情報１３の部分が低輝度となるためである。さらに、画像情報１３上の赤外線発光層１５の膜厚が、その他の部分に比較すると薄いことも、画像情報１３の部分が低輝度として現れるのに寄与する。
【００４８】
図５の説明に戻る。分光分布測定装置５５（図２参照）では、情報記録媒体１に励起光を照射し、赤外線発光層１５が発光する赤外線を波長ごとに受光することで、分光分布を測定してピーク波長の検出を行う。情報処理装置５８の制御部１０１は、赤外線の分光分布のピーク波長を、分光分布測定装置５５から取得する（Ｓ２）。
【００４９】
次に、情報処理装置５８の制御部１０１は、真贋判定情報１１１を用いて情報記録媒体１の真贋判定を行う（Ｓ３）。
【００５０】
Ｓ３では、Ｓ１で取得した画像４０に対しエッジ検出などの画像処理手法を用いることにより、画像情報１３を読取るとともに、赤外線発光層１５の形状を抽出する。そして、赤外線発光層１５の形状とＳ２で取得した分光分布のピーク波長を、真贋判定情報１１１として記録された、上記の画像情報１３に対応する赤外線発光層形状データ１１３および分光分布ピーク波長１１４とそれぞれ比較する。
【００５１】
情報処理装置５８の制御部１０１は、赤外線発光層１５の形状と分光分布のピーク波長の両方が、真贋判定情報１１１として予め記録した赤外線発光層形状データ１１３、分光分布ピーク波長１１４と一致する場合、情報記録媒体１を真とし（Ｓ３：真）、そうでない場合は偽とする（Ｓ３：偽）。
【００５２】
そして、この判定結果を情報処理装置５８の表示部１０４に表示し（Ｓ４）、処理を終了する。
【００５３】
以上説明したように、本実施形態では、情報記録媒体１の赤外線発光層１５の形状を用いて情報記録媒体１の真贋判定を行う。赤外線発光層１５の形状は、赤外線発光層１５の形成時の種々の条件により異なる。従って、偽の情報記録媒体１を製造する際に赤外線発光層１５の形状まで再現することは難しく、情報記録媒体１の真贋判定時に赤外線発光層１５の形状を用いることで精度の高い判定を行うことができる。この情報記録媒体１は、例えばくじや金券、チケットなどに適用することができ、真贋判定システム１０により、これらの偽造や改ざんを防ぎ、高いセキュリティ性を実現できる。
【００５４】
また、赤外線を吸収する画像情報１３は、赤外線を発光する赤外線発光層１５とのコントラストから読取ることが可能で、画像情報１３を赤外線透過・可視光反射／吸収層１７で隠蔽した状態でも容易に読取ることができる。さらに、励起に用いる赤外線と赤外線発光層１５が発光する赤外線のピーク波長は異なるので、励起光をカットすることで精度良く読取を行える利点もある。
【００５５】
また、本実施形態では、赤外線発光層１５が発光する赤外線の分光分布のピーク波長も真贋判定に用いる。偽の情報記録媒体１の赤外線発光層１５として、真の情報記録媒体１と異なる蛍光体を用いた場合には、ピーク波長の違いによりこれを偽とできる。従って、真贋判定をさらに精度良く行うことができ、セキュリティ性がより高まる。
【００５６】
なお、分光分布のピーク波長に代えてその他の特徴量を用いてもよい。例えば分光分布の形状自体を用いることも可能であり、さらに精度の高い真贋判定を行える利点がある。一方、分光分布のピーク波長を用いた場合には、容易に真贋判定を行うことができ、データ量も小さい利点がある。
【００５７】
また、真贋判定システム１の判定対象は図１で説明したような情報記録媒体１に限ることはない。例えば図７に示すように、赤外線発光層１５の上に画像情報１３を設け、その上に赤外線透過・可視光反射／吸収層１７を配置した情報記録媒体１ａなども同様にして真贋判定を行うことができる。
【００５８】
次に、本発明の別の例について、第２の実施形態として説明する。なお、第２の実施形態の説明は第１の実施形態と異なる点について主に行い、同様の点については図等で同じ符号を付すなどして説明を省略する。
【００５９】
［第２の実施形態］
第２の実施形態は、情報記録媒体を、封緘物において封入物が正しい送り先に送られるかを検査する際に利用し、この検査時に、情報記録媒体の真贋判定も併せて行う例である。
【００６０】
図８は封緘物２０の断面構成を示す図である。図に示すように、封緘物２０は、各種の封入物２２と情報記録媒体１ｂとを、赤外線透過・可視光反射／吸収層１７である封筒に封入して覆い、これらを封緘したものである。この封筒には、可視光下で読取可能な画像情報２１として、送り先の名称等が記録される。
【００６１】
情報記録媒体１ｂでは、基材１１の上に画像情報１３が設けられ、画像情報１３の上に赤外線発光層１５が重ねて設けられる。本実施形態では、前記の封入物２２を個人ごとの各種の請求書や申込用紙とし、画像情報１３をこれに対応させ、封入物２２の送り先の名称をバーコード等で記録したものとする。
【００６２】
赤外線透過・可視光反射／吸収層１７としての封筒は、例えば各種の紙材で形成され、赤外線を透過し可視光を吸収もしくは反射する。これにより画像情報１３は肉眼では不可視になる。
【００６３】
本実施形態でも、第１の実施形態と同様にして情報記録媒体１ｂの真贋判定を行うことができ、同様の効果が得られる。また、情報記録媒体１ｂの画像情報１３と、別途読取った画像情報２１とを照合することにより、封入物２２と、その送り先が一致するかが検査できる。
【実施例】
【００６４】
本発明に係る情報記録媒体１の真贋判定について検討を行った例を実施例として説明する。なお本発明はこれに限定されるものではない。
【００６５】
＜蛍光材料の作製＞
赤外線発光層１５を形成するための蛍光材料として、赤外線励起・赤外線発光顔料「ＤＮＰＷＩＲ−１（根本特殊化学社製）」を水性インキ化して用いた。調合重量比率を以下に示す。
ＤＮＰＷＩＲ−１（根本特殊化学社製）：５．０％
水溶性アクリル系樹脂：２０.０％
水：７４．０％
アルコール系溶剤：０.５％
分散剤：０.５％
【００６６】
＜画像情報の形成＞
電子写真方式のプリンタ、ＡｐｅｏｓＰｏｒｔ−ＩＩ  Ｃ４３００で、Ａ４判の普通紙を基材１１として、カーボンブラックを含む黒色トナーを用いて、ＯＣＲ−Ｂフォントによる数字を画像情報１３として印刷した。
【００６７】
＜赤外線発光層の形成＞
この画像情報１３を覆うように、前述の蛍光材料を塗布した。塗布には、サンエイテック社製ＳＶ９1を使用し、塗布後、４５℃の乾燥機で１０分間乾燥し、赤外線発光層１５を形成した。
【００６８】
＜赤外線透過・可視光反射／吸収層の形成＞
赤外線発光層１５を覆うように、黒色オフセット印刷用インキにてベタ部分を印刷して赤外線透過・可視光反射／吸収層１７を形成し、画像情報１３を目視できないようにした。このとき、黒色オフセット印刷用インキは、シアン、マゼンタ、イエローの顔料を混合して作製した、カーボンブラック顔料を含まない赤外線を透過するインキとした。
【００６９】
＜真贋判定＞
上記作製した情報記録媒体に対し、以下のようにして真贋判定を行った。
【００７０】
（１）ピーク波長約８１０ｎｍの赤外線を照射し、波長９００ｎｍ以上の赤外線を受光する読取装置にて、情報記録媒体を撮像し、画像情報１３の読取りを行った。この結果を、図９（ａ）に示す。
【００７１】
（２）また、情報記録媒体を撮像した画像を、画像処理によりネガポジ反転させ、コントラストを強調することにより、図９（ｂ）に示すように、赤外線発光層１５の形状の輪郭を強調した画像を得た。
【００７２】
（３）さらに、ピーク波長約８１０ｎｍの赤外線を照射し、波長９００ｎｍ以上の赤外線を受光する分光光度計にて、赤外線発光層１５が発光する赤外線のピーク波長を検出した。この時の赤外線の分光分布を、受光した光の強度に対応する受光素子の信号強度を縦軸、横軸を波長として図１０に示す。ここでは、約９８０ｎｍがピーク波長となった。
【００７３】
（４）以上により得た情報は、情報記録媒体固有の情報と定め、データベースに登録した。
【００７４】
（５）上記作製した情報記録媒体を含んだ３０種類の情報記録媒体を用意し、（１）〜（３）の手段にて各情報を読取った。これらの情報と、データベースに登録した情報との照合を行った結果、上記作製した情報記録媒体のみ真と判定できた。
【００７５】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７６】
１、１ａ、１ｂ：情報記録媒体
１１：基材
１３：画像情報
１５：赤外線発光層
１７：赤外線透過・可視光反射／吸収層
５０：読取装置
５５：分光分布測定装置
５８：情報処理装置
【図１】
2014127146.tif 000003
【図２】
2014127146.tif 000004
【図３】
2014127146.tif 000005
【図４】
2014127146.tif 000006
【図５】
2014127146.tif 000007
【図６】
2014127146.tif 000008
【図７】
2014127146.tif 000009
【図８】
2014127146.tif 000010
【図９】
2014127146.tif 000011
【図１０】
2014127146.tif 000012